【手続補正書】
【提出日】平成31年4月5日(2019.4.5)
【手続補正１】
【補正対象書類名】特許請求の範囲
【補正対象項目名】全文
【補正方法】変更
【補正の内容】
【特許請求の範囲】
【請求項１】
複数の往路受信／伝送信号経路（２００１）を備えるエンドツーエンドリレー（５０３、１２０２、１５０２、３４０３）を介して、ユーザカバーエリア（３４６０）にわたって分布するユーザ端末（５１７）に通信サービスを提供する方法であって、
複数の往路ユーザビームカバーエリア（５１９）によってグループ化される複数の前記ユーザ端末に伝送するための往路ユーザデータストリーム（５０９）を含む、複数の往路ビーム信号（５１１）を取得することと、
前記エンドツーエンドリレーを介して、地理的に分布した場所の複数のアクセスノード（５１５）から前記複数の往路ユーザビームカバーエリアに伝送するエンドツーエンドビーム形成のための往路ビーム加重マトリックス（９１８）を識別することと、
前記複数のアクセスノードによって伝送するためのそれぞれのアクセスノード固有の往路信号（５１６）を発生させることであって、前記それぞれのアクセスノード固有の往路信号の各々が、前記往路ビーム加重マトリックスのそれぞれの往路ビーム形成加重値によって加重されるそれぞれの往路ビーム信号（５１１）の複合物を含む、発生させることと、
前記それぞれのアクセスノード固有の往路信号に基づいて、前記複数のアクセスノードからそれぞれの往路アップリンク信号（５２１）を伝送することであって、前記それぞれの往路アップリンク信号が、前記複数のアクセスノードと前記エンドツーエンドリレーとの間のそれぞれの経路遅延及び位相シフトを補償するように事前修正される、伝送することと、を含む、方法。
【請求項２】
前記複数のアクセスノードから前記エンドツーエンドリレーにそれぞれのアクセスノードビーコン信号（２５３０）を伝送することと、
前記複数のアクセスノードにおいて、前記エンドツーエンドリレーから伝送されるリレービーコン信号、及び前記エンドツーエンドリレーによってリレーされる、リレーされたアクセスノードビーコン信号を受信することと、
前記リレービーコン信号及び前記リレーされたアクセスノードビーコン信号に少なくとも部分的に基づいて、前記事前修正を行うために、前記それぞれの往路アップリンク信号を調整することと、を更に含む、請求項１に記載の方法。
【請求項３】
それぞれの受信タイミング情報及びそれぞれの受信位相情報を取得するために、前記それぞれの受信したリレービーコン信号を復調することと、
それぞれの伝送タイミング情報及びそれぞれの伝送位相情報を取得するために、前記リレーされたアクセスノードビーコン信号を復調することと、を更に含む、請求項２に記載の方法。
【請求項４】
前記それぞれの受信したリレービーコン信号の前記復調が、前記複数のアクセスノードにおいて行われる、請求項３に記載の方法。
【請求項５】
前記リレーされたアクセスノードビーコン信号の前記復調が、前記複数のアクセスノードにおいて行われる、請求項３に記載の方法。
【請求項６】
前記リレーされたアクセスノードビーコン信号のうちの１つの前記復調が、前記複数のアクセスノードのうちの２つ以上によって受信されるダウンリンク信号の前記リレーされたアクセスノードビーコン信号のうちの前記１つを復調することを含む、請求項３に記載の方法。
【請求項７】
前記調整が、前記複数のアクセスノードと前記エンドツーエンドリレーとの間の時間遅延差を補償するために、前記それぞれの往路アップリンク信号のタイミングを調整することを含む、請求項２〜６のいずれか一項に記載の方法。
【請求項８】
前記調整が、前記複数のアクセスノードと前記エンドツーエンドリレーとの間の位相シフト差を補償するために、前記それぞれの往路アップリンク信号の位相を調整することを含む、請求項２〜７のいずれか一項に記載の方法。
【請求項９】
前記リレービーコン信号が、擬似雑音（ＰＮ）コード（２３０７）を含む、請求項２〜８のいずれか一項に記載の方法。
【請求項１０】
前記リレービーコン信号が、フレームタイミング情報を含む、請求項２〜９のいずれか一項に記載の方法。
【請求項１１】
前記複数のアクセスノードの各々が、そのアクセスノードと関連付けられる擬似雑音（ＰＮ）コード（２３０１）を含むアクセスノードビーコン信号を伝送する、請求項２〜１０のいずれか一項に記載の方法。
【請求項１２】
前記それぞれのアクセスノード固有の往路信号を、同期タイミング情報を有する前記複数のアクセスノードに配信することを更に含む、請求項１〜１１のいずれか一項に記載の方法。
【請求項１３】
前記伝送が、前記それぞれのアクセスノード固有の往路信号が前記エンドツーエンドリレーによって受信されたときに同期されるように、前記同期タイミング情報を使用して、前記複数のアクセスノードから、前記それぞれのアクセスノード固有の往路信号を伝送することを含む、請求項１２に記載の方法。
【請求項１４】
前記配信が、
それぞれの多重化されたアクセスノード固有の往路信号を取得するために、前記同期タイミング情報を有する前記それぞれのアクセスノード固有の往路信号を多重化することと、
前記複数のアクセスノードの各々に、前記それぞれの多重化されたアクセスノード固有の往路信号のうちの１つを送信することと、を含む、請求項１２又は１３に記載の方法。
【請求項１５】
前記複数のアクセスノードにおいて、前記エンドツーエンドリレーからそれぞれの復路ダウンリンク信号（５２７）を受信することであって、前記それぞれの復路ダウンリンク信号の各々が、複合復路信号（９０７）を形成するために、第２の複数の前記ユーザ端末から伝送され、前記エンドツーエンドリレーの複数の復路受信／伝送信号経路（１７０２）を介して前記エンドツーエンドリレーによってリレーされる、復路ユーザデータストリーム（５３５）を含む、受信することと、
前記エンドツーエンドリレーを介して、複数の復路ユーザビームカバーエリア（５１９）から前記複数のアクセスノードに伝送するエンドツーエンドビーム形成のための復路ビーム加重マトリックス（９３７）を識別することと、
前記複数の復路ユーザビームカバーエリアの各々と関連付けられるそれぞれ複数の加重複合復路信号（９１１）を取得するために、前記復路ビーム加重マトリックスのそれぞれのビーム形成加重値を前記それぞれの複合復路信号の各々に適用することと、
前記複数の復路ユーザビームカバーエリアの前記各々と関連付けられる復路ビーム信号（９１５）を取得するために、前記複数の復路ユーザビームカバーエリアの前記各々について、前記それぞれ複数の加重複合復路信号を組み合わせることであって、前記それぞれ複数の加重複合復路信号が、前記組み合わせの前に、前記エンドツーエンドリレーと前記複数のアクセスノードとの間の前記それぞれの経路遅延及び位相シフトを補償するように修正される、組み合わせることと、を更に含む、請求項１〜１４のいずれか一項に記載の方法。
【請求項１６】
前記取得が、
複数の往路ビームデータストリーム（５３２）を取得するために、前記複数の往路ユーザビームカバーエリアに従って、前記往路ユーザデータストリームをグループ化することであって、前記複数の往路ビームデータストリームの各々が、前記往路ユーザデータストリームのそれぞれのサブセットを含む、グループ化することと、
前記複数の往路ビーム信号を取得するために、１つ又は２つ以上の変調スキームに従って、前記複数の往路ビームデータストリームを変調することと、を含む、請求項１〜１５のいずれか一項に記載の方法。
【請求項１７】
前記取得が、前記複数の往路ビームデータストリームの前記各々について、前記往路ユーザデータストリームの前記それぞれのサブセットを多重化することを更に含む、請求項１６に記載の方法。
【請求項１８】
前記多重化が、時間領域多重化、周波数領域多重化、又はこれらの組み合わせを含む、請求項１７に記載の方法。
【請求項１９】
前記複数のアクセスノードの各々が、前記エンドツーエンドリレーのそれぞれ複数の前記複数の往路受信／伝送信号経路を介して、それぞれ複数の前記複数の往路ユーザビームカバーエリアにリレーするための前記それぞれの往路アップリンク信号を伝送する、請求項１〜１８のいずれか一項に記載の方法。
【請求項２０】
前記複数のアクセスノードのうちの少なくとも１つが、前記エンドツーエンドリレーの前記複数の往路受信／伝送信号経路の各々を介して、それぞれ複数の前記複数の往路ユーザビームカバーエリアにリレーするための前記それぞれの往路アップリンク信号ののうちの１つを伝送する、請求項１〜１８のいずれか一項に記載の方法。
【請求項２１】
前記複数のアクセスノードが、前記エンドツーエンドリレーのフィーダリンクアンテナのカバーエリアに対応するアクセスノードカバーエリア（３４５０）にわたって分布する、請求項１〜２０のいずれか一項に記載の方法。
【請求項２２】
前記複数の往路ユーザビームカバーエリアが、前記ユーザカバーエリアを備え、前記アクセスノードカバーエリアが、前記ユーザカバーエリアと少なくとも部分的に重なる、請求項２１に記載の方法。
【請求項２３】
前記複数のアクセスノードのうちの２つ以上が、前記複数の往路ユーザビームカバーエリアのうちの１つの中に位置付けられる、請求項１〜２２のいずれか一項に記載の方法。
【請求項２４】
前記複数の往路ユーザビームカバーエリアのうちの少なくとも１つが、いかなるアクセスノードも位置付けられないエリアを網羅する、請求項１〜２３のいずれか一項に記載の方法。
【請求項２５】
前記複数のアクセスノードが、第１の数の前記アクセスノードを有し、前記エンドツーエンドリレーが、第２の数の前記往路受信／伝送信号経路を有し、前記第２の数が、前記第１の数と異なる、請求項１〜２４のいずれか一項に記載の方法。
【請求項２６】
前記第１の数が、前記第２の数よりも大きい、請求項２５に記載の方法。
【請求項２７】
前記複数の往路ユーザビームカバーエリアが、第３の数の前記往路ユーザビームカバーエリアを有し、前記第３の数が、前記第１の数と異なる、請求項２５又は２６に記載の方法。
【請求項２８】
前記エンドツーエンドリレーが、衛星である、請求項１〜２７のいずれか一項に記載の方法。
【請求項２９】
前記複数のアクセスノードが、波数範囲で、前記それぞれの往路アップリンク信号を伝送し、前記エンドツーエンドリレーが、往路ダウンリンク周波数範囲を使用して、前記往路受信／伝送信号経路を介して、前記それぞれの往路アップリンク信号を前記複数の往路ユーザビームカバーエリアにリレーし、前記往路ダウンリンク周波数範囲が、前記往路アップリンク周波数範囲と異なる、請求項１〜２８のいずれか一項に記載の方法。
【請求項３０】
前記複数のアクセスノードのうちの少なくとも１つが、異なる周波数サブ帯域を通じて伝送される複数の変調信号を含むそれぞれの往路アップリンク信号を伝送し、前記複数の変調信号の各々が、前記異なる周波数サブ帯域のうちの１つと関連付けられるアクセスノード固有の往路信号に基づく、請求項１〜２９のいずれか一項に記載の方法。
【請求項３１】
前記複数の往路ユーザビームカバーエリアが、前記異なる周波数サブ帯域と関連付けられる往路ユーザビームカバーエリアの複数のサブセットを含む、請求項３０に記載の方法。
【請求項３２】
前記往路ユーザビームカバーエリアの複数のサブセットの各々が、複数の重ならない往路ユーザビームカバーエリアを備える、請求項３１に記載の方法。
【請求項３３】
前記異なる周波数サブ帯域の各々の帯域幅が、５００メガヘルツ以上である、請求項３０〜３２のいずれか一項に記載の方法。
【請求項３４】
前記往路ビーム加重マトリックスが、前記複数のアクセスノードの数及び前記複数の往路ユーザビームカバーエリアの数に対応する次元を有する、請求項１〜３３のいずれか一項に記載の方法。
【請求項３５】
前記往路ビーム加重マトリックスが、前記複数のアクセスノードの数及び前記複数の往路受信／伝送信号経路の数に対応する次元を有する往路アップリンク放射マトリックス、並びに前記複数の往路受信／伝送信号経路の前記数及び前記複数の往路ユーザビームカバーエリアの数に対応する次元を有する往路ダウンリンク放射マトリックスに少なくとも部分的に基づいて決定される、請求項１〜３４のいずれか一項に記載の方法。
【請求項３６】
前記往路ビーム加重マトリックスが、前記複数の往路受信／伝送信号経路の数に対応する次元を有する前記エンドツーエンドリレーの往路ペイロードマトリックスに少なくとも部分的に基づいて決定される、請求項３５に記載の方法。
【請求項３７】
前記往路ビーム加重マトリックスが、前記往路アップリンク放射マトリックス、前記往路ペイロードマトリックス、及び前記往路ダウンリンク放射マトリックスの積として決定される、請求項３６に記載の方法。
【請求項３８】
前記往路ペイロードマトリックスが、対角マトリックスを含む、請求項３６に記載の方法。
【請求項３９】
複数の往路受信／伝送信号経路（２００１）を備えるエンドツーエンドリレー（５０３、１２０２、１５０２、３４０３）を介して、ユーザカバーエリア（３４６０）にわたって分布するユーザ端末（５１７）に通信サービスを提供するための地上ネットワークであって、
複数の往路ユーザビームカバーエリア（５１９）によってグループ化される前記ユーザ端末に伝送するための往路ユーザデータストリーム（５０９）を含む複数の往路ビーム信号（５１１）を取得する、ビーム信号インターフェース（５２４）と、
前記エンドツーエンドリレーを介して、複数の地理的に分布した場所から前記複数の往路ユーザビームカバーエリアに伝送するエンドツーエンドビーム形成のための往路ビーム加重マトリックス（９１８）を発生させる、ビーム加重値発生器（９１０、９１７）と、
前記ビーム信号インターフェース及び前記ビーム加重値発生器と結合される往路ビーム形成器（５２９）であって、前記往路ビーム加重マトリックス及び前記往路ビーム信号のベクトルのマトリックス積に基づいて、複数のアクセスノード固有の往路信号（５１６）を取得するマトリックス乗算器を備える、往路ビーム形成器と、
前記それぞれのアクセスノード固有の往路信号を配信する、配信ネットワーク（５１８）と、
前記地理的に分布した場所の複数のアクセスノード（５１５）であって、前記複数のアクセスノードが、前記配信ネットワークから前記それぞれのアクセスノード固有の往路信号を取得し、前記それぞれのアクセスノード固有の往路信号に基づいて、アンテナを介して、それぞれの往路アップリンク信号（５２１）を前記エンドツーエンドリレーに伝送する伝送機（４０１２）を備え、前記それぞれの往路アップリンク信号が、前記複数のアクセスノードと前記エンドツーエンドリレーとの間に導入されるそれぞれの経路遅延及び位相シフトを補償するように事前修正される、複数のアクセスノードと、を備える、地上ネットワーク。
【請求項４０】
前記複数のアクセスノードから前記エンドツーエンドリレーに伝送するためのそれぞれのアクセスノードビーコン信号（２５３０）を発生させる、アクセスノードビーコン発生器（２５２９）と、
前記エンドツーエンドリレーから伝送されたリレービーコン信号及び前記リレーされたそれぞれのアクセスノードビーコン信号に少なくとも部分的に基づいて、前記事前修正を行うために、前記それぞれの往路アップリンク信号を調整する、伝送タイミング及び位相補償器（４０２０、２５３９、２５４１）と、を更に備える、請求項３９に記載の地上ネットワーク。
【請求項４１】
前記複数のアクセスノードが、前記アンテナを介してそれぞれのダウンリンク信号（５２７）を受信する受信機（４００２）を備え、前記それぞれのダウンリンク信号が、前記リレービーコン信号及び前記リレーされたそれぞれのアクセスノードビーコン信号を含む、請求項４０に記載の地上ネットワーク。
【請求項４２】
それぞれの受信タイミング情報及びそれぞれの受信位相情報を取得するために、前記複数のアクセスノードにおいてそれぞれ受信される前記リレービーコン信号を復調する、リレービーコン信号復調器（２５１１）と、
それぞれの伝送タイミング情報及びそれぞれの伝送位相情報を取得するために、前記リレーされたそれぞれのアクセスノードビーコン信号を復調する、アクセスノードビーコン信号復調器（２５１９）と、を更に備える、請求項４１に記載の地上ネットワーク。
【請求項４３】
前記複数のアクセスノードが、前記リレービーコン信号復調器を備える、請求項４２に記載の地上ネットワーク。
【請求項４４】
前記複数のアクセスノードが、前記アクセスノードビーコン信号復調器を備える、請求項４２又は４３に記載の地上ネットワーク。
【請求項４５】
前記アクセスノードビーコン信号復調器のうちの１つが、前記それぞれのダウンリンク信号のうちの２つ以上に基づいて、前記リレーされたそれぞれのアクセスノードビーコン信号のうちの対応する１つを変調する、請求項４２〜４４のいずれか一項に記載の地上ネットワーク。
【請求項４６】
前記伝送タイミング及び位相補償器が、前記複数のアクセスノードと前記エンドツーエンドリレーとの間の時間遅延差を補償するために、前記それぞれの往路アップリンク信号のタイミングを調整する、請求項４０〜４５のいずれか一項に記載の地上ネットワーク。
【請求項４７】
前記伝送タイミング及び位相補償器が、前記複数のアクセスノードと前記エンドツーエンドリレーとの間の位相シフト差を補償するために、前記それぞれの往路アップリンク信号の位相を調整する、請求項４０〜４６のいずれか一項に記載の地上ネットワーク。
【請求項４８】
前記リレービーコン信号が、擬似雑音（ＰＮ）コード（２３０７）を含む、請求項４０〜４７のいずれか一項に記載の地上ネットワーク。
【請求項４９】
前記リレービーコン信号が、フレームタイミング情報を含む、請求項４０〜４８のいずれか一項に記載の地上ネットワーク。
【請求項５０】
前記複数のアクセスノードの各々が、そのアクセスノードと関連付けられる擬似雑音（ＰＮ）コード（２３０１）を含むそれぞれのアクセスノードビーコン信号を伝送する、請求項４０〜４９のいずれか一項に記載の地上ネットワーク。
【請求項５１】
前記往路ビーム形成器が、複数の往路タイムスライスビーム形成器（３００６）を備え、前記複数の往路タイムスライスビーム形成器の各々が、前記往路ビーム信号の各々のそれぞれのサンプルの時間領域サブセットを受信し、前記それぞれのサンプルの時間領域サブセットのための、前記複数のアクセスノードの前記各々と関連付けられる前記それぞれのアクセスノード固有の往路信号を出力する、請求項３９〜５０のいずれか一項に記載の地上ネットワーク。
【請求項５２】
前記それぞれのサンプルの時間領域サブセットに従って、前記往路ビーム信号を逆多重化し、前記複数の往路タイムスライスビーム形成器の前記各々に、前記往路ビーム信号の各々の前記それぞれのサンプルの時間領域サブセットを送信する、往路ビーム信号逆多重化装置（３００２）と、
前記複数のアクセスノードの前記各々に配信するための、前記複数の往路タイムスライスビーム形成器からの、前記それぞれのアクセスノード固有の往路信号の前記それぞれのサンプルの時間領域サブセットを多重化する、往路アクセスノード信号多重化装置（３０１０）と、を更に備える、請求項５１に記載の地上ネットワーク。
【請求項５３】
前記往路ビーム信号逆多重化装置が、前記往路ビーム信号のサンプルを前記往路ビーム信号の前記それぞれのサンプルの時間領域サブセットにインターリーブする、請求項５２に記載の地上ネットワーク。
【請求項５４】
前記複数のアクセスノードの各々が、前記それぞれのアクセスノード固有の往路信号のサンプルをデインターリーブする、デインターリーバ（４０５０）を備える、請求項５３に記載の地上ネットワーク。
【請求項５５】
前記配信ネットワークが、前記それぞれのアクセスノード固有の往路信号を、同期タイミング情報を有する前記複数のアクセスノードに配信する、請求項３９〜５４のいずれか一項に記載の地上ネットワーク。
【請求項５６】
前記配信ネットワークが、
それぞれの多重化されたアクセスノード固有の往路信号を取得するために、前記同期タイミング情報を有する前記それぞれのアクセスノード固有の往路信号を多重化し、
前記複数のアクセスノードの各々に、前記それぞれの多重化されたアクセスノード固有の往路信号のうちの１つを送信する、請求項５５に記載の地上ネットワーク。
【請求項５７】
前記複数のアクセスノードが、前記それぞれのアクセスノード固有の往路信号が前記エンドツーエンドリレーによって受信されたときに同期されるように、前記同期タイミング情報を使用する、請求項５５に記載の地上ネットワーク。
【請求項５８】
前記複数のアクセスノードの各々が、前記アンテナを介して前記エンドツーエンドリレーからそれぞれの復路ダウンリンク信号（５２７）を受信する、受信機（４００２）を備え、前記それぞれの復路ダウンリンク信号の各々が、複合復路信号（９０７）を形成するために、第２の複数の前記ユーザ端末から伝送され、前記エンドツーエンドリレーの複数の復路受信／伝送信号経路（１７０２）を介して前記エンドツーエンドリレーによってリレーされる、復路アップリンク信号（５２５）の複合物を含み、
前記配信ネットワークが、前記複数のアクセスノードから前記それぞれの複合復路信号を取得し、
前記ビーム加重値発生器（９１０、９３５）が、前記エンドツーエンドリレーを介して、複数の復路ユーザビームカバーエリア（５１９）から前記複数のアクセスノードに伝送するエンドツーエンドビーム形成のための復路ビーム加重マトリックス（９３７）を発生させ、前記地上ネットワークが、
前記復路ビーム加重マトリックス及び前記それぞれの複合復路信号のベクトルのマトリックス積に基づいて前記複数の復路ユーザビームカバーエリアのそれぞれの復路ビーム信号（９１５）を取得する復路マトリックス乗算器を備える、復路ビーム形成器（５３１）を更に備え、前記それぞれの複合復路信号が、前記エンドツーエンドリレーと前記複数のアクセスノードとの間のそれぞれの経路遅延及び位相シフトのタイミング及び位相について修正される、請求項３９又は４６〜５７のいずれか一項に記載の地上ネットワーク。
【請求項５９】
複数の往路ビームデータストリーム（５３２）を取得するために、前記複数の往路ユーザビームカバーエリアに従って、前記往路ユーザデータストリームをグループ化する、往路ビームデータ多重化装置（５２６）であって、前記複数の往路ビームデータストリームの各々が、前記往路ユーザデータストリームのそれぞれのサブセットを含む、往路ビームデータ多重化装置と、
前記複数の往路ビーム信号を取得するために、１つ又は２つ以上の変調スキームに従って、前記複数の往路ビームデータストリームを変調する、往路ビームデータストリーム変調器（５２８）と、を更に備える、請求項３９〜５８のいずれか一項に記載の地上ネットワーク。
【請求項６０】
前記往路ビームデータ多重化装置が、前記複数の往路ビームデータストリームの前記各々について、前記往路ユーザデータストリームの前記それぞれのサブセットを多重化する、請求項５９に記載の地上ネットワーク。
【請求項６１】
前記多重化が、時間領域多重化、周波数領域多重化、又はこれらの組み合わせを含む、請求項６０に記載の地上ネットワーク。
【請求項６２】
前記複数のアクセスノードの各々が、前記エンドツーエンドリレーの前記それぞれ複数の前記複数の往路受信／伝送信号経路を介して、それぞれ複数の前記複数の往路ユーザビームカバーエリアにリレーするための前記それぞれの往路アップリンク信号を伝送する、請求項３９〜６１のいずれか一項に記載の地上ネットワーク。
【請求項６３】
前記複数のアクセスノードのうちの少なくとも１つが、前記エンドツーエンドリレーの前記複数の往路受信／伝送信号経路の各々を介して、それぞれ複数の前記複数の往路ユーザビームカバーエリアにリレーするための前記それぞれの往路アップリンク信号のうちの１つを伝送する、請求項３９〜６２のいずれか一項に記載の地上ネットワーク。
【請求項６４】
前記複数のアクセスノードが、前記エンドツーエンドリレーのフィーダリンクアンテナのカバーエリアに対応するアクセスノードカバーエリア（３４５０）にわたって分布する、請求項３９〜６３のいずれか一項に記載の地上ネットワーク。
【請求項６５】
前記複数の往路ユーザビームカバーエリアが、前記ユーザカバーエリアを備え、前記アクセスノードカバーエリアが、前記ユーザカバーエリアと少なくとも部分的に重なる、請求項６４に記載の地上ネットワーク。
【請求項６６】
前記複数のアクセスノードのうちの２つ以上が、前記複数の往路ユーザビームカバーエリアのうちの１つの中に位置付けられる、請求項３９〜６５のいずれか一項に記載の地上ネットワーク。
【請求項６７】
前記複数の往路ユーザビームカバーエリアのうちの少なくとも１つが、いかなるアクセスノードも位置付けられないエリアを網羅する、請求項３９〜６６のいずれか一項に記載の地上ネットワーク。
【請求項６８】
前記複数のアクセスノードが、第１の数の前記アクセスノードを有し、前記エンドツーエンドリレーが、第２の数の前記往路受信／伝送信号経路を有し、前記第２の数が、前記第１の数と異なる、請求項３９〜６７のいずれか一項に記載の地上ネットワーク。
【請求項６９】
前記第１の数が、前記第２の数よりも大きい、請求項６８に記載の地上ネットワーク。
【請求項７０】
前記複数の往路ユーザビームカバーエリアが、第３の数の前記往路ユーザビームカバーエリアを有し、前記第３の数が、前記第１の数と異なる、請求項６８に記載の地上ネットワーク。
【請求項７１】
前記エンドツーエンドリレーが、衛星である、請求項３９〜７０のいずれか一項に記載の地上ネットワーク。
【請求項７２】
前記複数のアクセスノードが、往路アップリンク周波数範囲で、前記それぞれの往路アップリンク信号を伝送し、前記エンドツーエンドリレーが、往路ダウンリンク周波数範囲を使用して、前記往路受信／伝送信号経路を介して、前記それぞれの往路アップリンク信号を前記複数の往路ユーザビームカバーエリアにリレーし、前記往路ダウンリンク周波数範囲が、前記往路アップリンク周波数範囲と異なる、請求項３９〜７１のいずれか一項に記載の地上ネットワーク。
【請求項７３】
前記複数のアクセスノードのうちの少なくとも１つが、異なる周波数サブ帯域を通じて伝送される複数の変調信号を含むそれぞれの往路アップリンク信号を伝送し、前記複数の変調信号の各々が、前記異なる周波数サブ帯域のうちの１つと関連付けられるアクセスノード固有の往路信号に基づく、請求項３９〜７２のいずれか一項に記載の地上ネットワーク。
【請求項７４】
前記複数の往路ユーザビームカバーエリアが、前記異なる周波数サブ帯域と関連付けられる往路ユーザビームカバーエリアの複数のサブセットを含む、請求項７３に記載の地上ネットワーク。
【請求項７５】
前記往路ユーザビームカバーエリアの複数のサブセットの各々が、複数の重ならない往路ユーザビームカバーエリアを備える、請求項７４に記載の地上ネットワーク。
【請求項７６】
前記異なる周波数サブ帯域の各々の帯域幅が、５００メガヘルツ以上である、請求項７３〜７５のいずれか一項に記載の地上ネットワーク。
【請求項７７】
前記往路ビーム加重マトリックスが、前記複数のアクセスノードの数及び前記複数の往路ユーザビームカバーエリアの数に対応する次元を有する、請求項３９〜７６のいずれか一項に記載の地上ネットワーク。
【請求項７８】
前記往路ビーム加重マトリックスが、前記複数のアクセスノードの数及び前記複数の往路受信／伝送信号経路の数に対応する次元を有する往路アップリンク放射マトリックス、並びに前記往路受信／伝送信号経路の前記数及び前記複数の往路ユーザビームカバーエリアの数に対応する次元を有する往路ダウンリンク放射マトリックスに少なくとも部分的に基づいて決定される、請求項３９〜７７のいずれか一項に記載の地上ネットワーク。
【請求項７９】
前記往路ビーム加重マトリックスが、前記複数の往路受信／伝送信号経路の数に対応する次元を有する前記エンドツーエンドリレーの往路ペイロードマトリックスに少なくとも部分的に基づいて決定される、請求項７８に記載の地上ネットワーク。
【請求項８０】
前記往路ビーム加重マトリックスが、前記往路アップリンク放射マトリックス、前記往路ペイロードマトリックス、及び前記往路ダウンリンク放射マトリックスの積として決定される、請求項７９に記載の地上ネットワーク。
【請求項８１】
前記往路ペイロードマトリックスが、対角マトリックスを含む、請求項７９に記載の地上ネットワーク。
【請求項８２】
複数の復路受信／伝送信号経路（１７０２）を備えるエンドツーエンドリレー（５０３、１２０２、１５０２、３４０３）を介して、ユーザカバーエリア（３４６０）にわたって分布するユーザ端末（５１７）に通信サービスを提供する方法であって、
地理的に分布した場所の複数のアクセスノード（５１５）において、前記エンドツーエンドリレーからそれぞれの復路ダウンリンク信号（５２７）を受信することであって、前記それぞれの復路ダウンリンク信号の各々が、複合復路信号（９０７）を形成するために、複数の前記ユーザ端末から伝送され、前記エンドツーエンドリレーによってリレーされる、復路ユーザデータストリーム（５３５）を含む、受信することと、
前記エンドツーエンドリレーを介して、複数の復路ユーザビームカバーエリア（５１９）から前記複数のアクセスノードに伝送するエンドツーエンドビーム形成のための復路ビーム加重マトリックス（９３７）を識別することと、
前記複数の復路ユーザビームカバーエリアの各々と関連付けられるそれぞれ複数の加重複合復路信号（９１１）を取得するために、前記復路ビーム加重マトリックスのそれぞれのビーム形成加重値を前記それぞれの複合復路信号の各々に適用することと、
前記複数の復路ユーザビームカバーエリアの前記各々と関連付けられる復路ビーム信号（９１５）を取得するために、前記複数の復路ユーザビームカバーエリアの前記各々について、前記それぞれ複数の加重複合復路信号を組み合わせることであって、前記それぞれ複数の加重複合復路信号が、前記組み合わせの前に、前記エンドツーエンドリレーと前記複数のアクセスノードの間のそれぞれの経路遅延及び位相シフトを補償するために修正される、組み合わせることと、を含む、方法。
【請求項８３】
前記複数のアクセスノードにおいて、前記エンドツーエンドリレーから伝送されるリレービーコン信号を受信することと、
それぞれの受信タイミング情報（２５２０）を取得するために、前記それぞれの受信したリレービーコン信号を復調することと、を更に含み、
前記それぞれの経路遅延の前記修正が、前記それぞれの受信タイミング情報に少なくとも部分的に基づく、請求項８２に記載の方法。
【請求項８４】
前記それぞれの受信したリレービーコン信号とそれぞれの局部的な基準信号との比較に少なくとも部分的に基づいて、ダウンリンクチャネル障害を補償するために、前記複数のアクセスノードについて、それぞれの受信タイミング調整（２５１２、２５１３）及びそれぞれの受信位相調整（２５１２、２５１４）を決定することを更に含む、請求項８３に記載の方法。
【請求項８５】
前記それぞれの受信タイミング調整に基づいて、前記それぞれの複合復路信号のタイミングを調整することを更に含む、請求項８４に記載の方法。
【請求項８６】
前記それぞれの受信位相調整に基づいて、前記それぞれの複合復路信号の位相を調整することを更に含む、請求項８４又は８５に記載の方法。
【請求項８７】
前記復調が、前記複数のアクセスノードにおいて行われる、請求項８３〜８６のいずれか一項に記載の方法。
【請求項８８】
前記リレービーコン信号が、擬似雑音（ＰＮ）コード（２３０７）を含む、請求項８３〜８７のいずれか一項に記載の方法。
【請求項８９】
前記リレービーコン信号が、フレームタイミング情報を含む、請求項８３〜８８のいずれか一項に記載の方法。
【請求項９０】
前記複数のアクセスノードにおいて、それぞれの多重化された複合復路信号を取得するために、前記それぞれの複合復路信号及びそれぞれの同期タイミング情報を多重化することと、
前記適用のために、前記複数のアクセスノードから、前記それぞれの多重化された複合復路信号を、復路ビーム形成器（５３１）に送信することと、を更に含む、請求項８２〜８９のいずれか一項に記載の方法。
【請求項９１】
前記それぞれの経路遅延及び位相シフトの前記修正が、前記適用の前に、前記エンドツーエンドリレーからの同じ伝送タイミングに対応する前記それぞれの複合ダウンリンク復路信号の一部分を整列させることを含む、請求項８２〜９０のいずれか一項に記載の方法。
【請求項９２】
前記それぞれの経路遅延及び位相シフトの前記修正が、前記複数の復路ユーザビームカバーエリアの前記各々について、前記組み合わせの前に、前記エンドツーエンドリレーからの同じ伝送タイミングに対応する前記それぞれ複数の加重複合復路信号の一部分を整列させることを含む、請求項８２〜９１のいずれか一項に記載の方法。
【請求項９３】
前記複数の復路ユーザビームカバーエリアの前記各々と関連付けられる復路ビームデータストリーム（５３４）を取得するために、前記復路ビーム信号の各々を復調することを更に含む、請求項８２〜９２のいずれか一項に記載の方法。
【請求項９４】
前記復路ビームデータストリームの各々を、前記複数の前記ユーザ端末から伝送される対応する復路アップリンク信号（５２５）と関連付けられるそれぞれの復路ユーザデータストリーム（５３５）に逆多重化することを更に含む、請求項９３に記載の方法。
【請求項９５】
前記複数の前記ユーザ端末からの前記復路アップリンク信号の各々が、複数の前記それぞれの復路ダウンリンク信号に含まれる、請求項８２〜９４のいずれか一項に記載の方法。
【請求項９６】
前記複数の前記ユーザ端末の各々が、前記エンドツーエンドリレーの複数の前記複数の復路受信／伝送信号経路を介して、それぞれの復路アップリンク信号を伝送する、請求項８２〜９５のいずれか一項に記載の方法。
【請求項９７】
前記複数のアクセスノードが、前記エンドツーエンドリレーのフィーダリンクアンテナのカバーエリアに対応するアクセスノードカバーエリア（３４５０）にわたって分布する、請求項８２〜９６のいずれか一項に記載の方法。
【請求項９８】
前記複数の復路ユーザビームカバーエリアが、前記ユーザカバーエリアを備え、前記アクセスノードカバーエリアが、前記ユーザカバーエリアと少なくとも部分的に重なる、請求項９７に記載の方法。
【請求項９９】
前記複数のアクセスノードのうちの２つ以上が、前記複数の復路ユーザビームカバーエリアのうちの１つの中に位置付けられる、請求項８２〜９８のいずれか一項に記載の方法。
【請求項１００】
前記複数の復路ユーザビームカバーエリアのうちの少なくとも１つが、いかなるアクセスノードも位置付けられないエリアを網羅する、請求項８２〜９９のいずれか一項に記載の方法。
【請求項１０１】
前記複数のアクセスノードが、第１の数の前記アクセスノード有し、前記エンドツーエンドリレーが、第２の数の前記復路受信／伝送信号経路を有し、前記第１の数が、前記第２の数と異なる、請求項８２〜１００のいずれか一項に記載の方法。
【請求項１０２】
前記第１の数が、前記第２の数よりも大きい、請求項１０１に記載の方法。
【請求項１０３】
前記複数の復路ユーザビームカバーエリアが、第３の数の前記復路ユーザビームカバーエリアを有し、前記第３の数が、前記第１の数と異なる、請求項１０１又は１０２に記載の方法。
【請求項１０４】
前記複数の前記ユーザ端末が、復路アップリンク周波数範囲で、前記復路アップリンク信号を伝送し、前記エンドツーエンドリレーが、復路ダウンリンク周波数範囲を使用して、前記復路受信／伝送信号経路を介して、前記復路アップリンク信号を前記複数のアクセスノードにリレーし、前記復路ダウンリンク周波数範囲が、前記復路アップリンク周波数範囲と異なる、請求項８２〜１０３のいずれか一項に記載の方法。
【請求項１０５】
前記エンドツーエンドリレーが、衛星である、請求項８２〜１０４のいずれか一項に記載の方法。
【請求項１０６】
前記それぞれの複合復路リンク信号が、異なる周波数サブ帯域を通じて受信される複数の変調信号を含む、請求項８２〜１０５のいずれか一項に記載の方法。
【請求項１０７】
前記複数の復路ユーザビームカバーエリアが、前記異なる周波数サブ帯域と関連付けられる復路ユーザビームカバーエリアの複数のサブセットを含む、請求項１０６に記載の方法。
【請求項１０８】
前記復路ユーザビームカバーエリアの複数のサブセットの各々が、複数の重ならない復路ユーザビームカバーエリアを備える、請求項１０７に記載の方法。
【請求項１０９】
前記異なる周波数サブ帯域の各々の帯域幅が、５００メガヘルツ以上である、請求項１０６又は１０７に記載の方法。
【請求項１１０】
前記復路ビーム加重マトリックスが、前記複数の復路ユーザビームカバーエリアの数及び前記複数のアクセスノードの数に対応する次元を有する、請求項８２〜１０９のいずれか一項に記載の方法。
【請求項１１１】
前記復路ビーム加重マトリックスが、前記複数の復路ユーザビームカバーエリアの数及び前記複数の復路受信／伝送信号経路の数に対応する次元を有する復路アップリンク放射マトリックス、並びに前記複数の復路受信／伝送信号経路の前記数及び前記複数のアクセスノードの数に対応する次元を有する復路ダウンリンク放射マトリックスに基づいて決定される、請求項８２〜１１０のいずれか一項に記載の方法。
【請求項１１２】
前記復路ビーム加重マトリックスが、前記複数の復路受信／伝送信号経路の数に対応する次元を有する前記エンドツーエンドリレーの復路ペイロードマトリックスに基づいて決定される、請求項１１１に記載の方法。
【請求項１１３】
前記復路ビーム加重マトリックスが、前記復路アップリンク放射マトリックス、前記復路ペイロードマトリックス、及び前記復路ダウンリンク放射マトリックスの積として決定される、請求項１１２に記載の方法。
【請求項１１４】
前記復路ペイロードマトリックスが、対角マトリックスを含む、請求項１１２に記載の方法。
【請求項１１５】
複数の復路受信／伝送信号経路（１７０２）を備えるエンドツーエンドリレー（５０３、１２０２、１５０２、３４０３）を介して、ユーザカバーエリア（３４６０）にわたって分布するユーザ端末（５１７）に通信サービスを提供するための地上ネットワークであって、
地理的に分布した場所の複数のアクセスノード（５１５）であって、前記複数のアクセスノードの各々が、アンテナを介して前記エンドツーエンドリレーからそれぞれの復路ダウンリンク信号（５２７）を受信する受信機（４００２）を備え、前記それぞれの復路ダウンリンク信号の各々が、複合復路信号（９０７）を形成するために、複数の前記ユーザ端末から伝送され、前記エンドツーエンドリレーによってリレーされる、復路アップリンク信号（５２５）の複合物を含む、複数のアクセスノードと、
前記複数のアクセスノードから前記それぞれの複合復路信号を取得する、配信ネットワーク（５１８）と、
前記エンドツーエンドリレーを介して、複数の復路ユーザビームカバーエリア（５１９）から前記複数のアクセスノードに伝送するエンドツーエンドビーム形成のための復路ビーム加重マトリックス（９３７）を発生させる、ビーム加重値発生器（９１０、９３５）と、
前記配信ネットワーク及び前記ビーム加重値発生器と結合される復路ビーム形成器（５３１）であって、前記復路マトリックス乗算器が、前記復路ビーム加重マトリックス及び前記それぞれの複合復路信号のベクトルのマトリックス積に基づいて前記複数の復路ユーザビームカバーエリアのそれぞれの復路ビーム信号（９１５）を取得するマトリックス乗算器を備え、前記それぞれの複合復路信号が、前記エンドツーエンドリレーと前記複数のアクセスノードとの間のそれぞれの経路遅延及び位相シフトのタイミング及び位相について修正される、復路ビーム形成器と、を備える、地上ネットワーク。
【請求項１１６】
それぞれの受信タイミング情報（２５２０）を取得するために、前記複数のアクセスノードによってそれぞれ受信されるリレービーコン信号を復調する、復調器（２５１１）を更に備え、
前記それぞれの経路遅延の前記修正が、前記それぞれの受信タイミング情報に少なくとも部分的に基づく、請求項１１５に記載の地上ネットワーク。
【請求項１１７】
前記復調器が、前記それぞれの受信したリレービーコン信号とそれぞれの局部的な基準信号との比較に少なくとも部分的に基づいて、ダウンリンクチャネル障害を補償するために、前記複数のアクセスノードについて、それぞれの受信タイミング調整（２５１２、２５１３）及びそれぞれの受信位相調整（２５１２、２５１４）を決定する、請求項１１６に記載の地上ネットワーク。
【請求項１１８】
前記エンドツーエンドリレーと前記複数のアクセスノードとの間の時間遅延差を補償するために、前記それぞれの複合復路信号のタイミングを調整する、受信タイミング調整器（４０２４、２５１５）を更に備える、請求項１１７に記載の地上ネットワーク。
【請求項１１９】
前記エンドツーエンドリレーと前記それぞれのアクセスノードのとの間の位相シフト差を補償するために、前記それぞれの複合復路信号の位相を調整する、受信位相調整器（４０２４、２５１７）を更に備える、請求項１１７又は１１８に記載の地上ネットワーク。
【請求項１２０】
前記複数のアクセスノードが、前記復調器を備える、請求項１１６〜１１９のいずれか一項に記載の地上ネットワーク。
【請求項１２１】
前記リレービーコン信号が、擬似雑音（ＰＮ）コード（２３０７）を含む、請求項１１６〜１２０のいずれか一項に記載の地上ネットワーク。
【請求項１２２】
前記リレービーコン信号が、フレームタイミング情報を含む、請求項１１６〜１２１のいずれか一項に記載の地上ネットワーク。
【請求項１２３】
前記複数のアクセスノードが、それぞれの多重化された複合復路信号を取得し、前記配信ネットワークを介して前記それぞれの多重化された複合復路信号を前記復路ビーム形成器に送信するために、前記それぞれの複合復路信号及びそれぞれの同期タイミング情報を多重化する、それぞれの多重化装置（２４１８、４００４）を備える、請求項１１５〜１２２のいずれか一項に記載の地上ネットワーク。
【請求項１２４】
前記復路ビーム形成器が、
複数の復路タイムスライスビーム形成器（３０１６）を備え、前記複数の復路タイムスライスビーム形成器の各々が、前記それぞれの複合復路信号の各々のそれぞれのサンプルの時間領域サブセットを受信し、前記それぞれのサンプルの時間領域サブセットのための、前記複数の復路ユーザビームカバーエリアの前記各々と関連付けられる前記それぞれの復路ビーム信号を出力する、請求項１１５〜１２３のいずれか一項に記載の地上ネットワーク。
【請求項１２５】
前記それぞれのサンプルの時間領域サブセットに従って前記それぞれの複合復路信号を逆多重化し、前記複数の復路タイムスライスビーム形成器の前記各々に、前記それぞれの複合復路信号の前記各々の前記それぞれのサンプルの時間領域サブセットを送信する、複合復路信号逆多重化装置（３０１２）と、
前記それぞれの復路ビーム信号を取得するために、前記複数の復路タイムスライスビーム形成器から、前記それぞれの復路ビーム信号の前記それぞれのサンプルの時間領域サブセットを多重化する、復路ビーム信号多重化装置（３０２０）と、を更に備える、請求項１２４に記載の地上ネットワーク。
【請求項１２６】
前記複数のアクセスノードの各々が、前記それぞれの複合復路信号の前記それぞれのサンプルの時間領域サブセットを取得するために、前記それぞれの複合復路信号のサンプルをインターリーブする、インターリーバ（４０４４）を備える、請求項１２４又は１２５に記載の地上ネットワーク。
【請求項１２７】
前記それぞれのビーム信号のサンプルをデインターリーブする、デインターリーバを更に備える、請求項１２６に記載の地上ネットワーク。
【請求項１２８】
前記複数の復路ユーザビームカバーエリアの前記各々と関連付けられる復路ビームデータストリーム（５３４）を取得するために、前記復路ビーム信号の各々を復調する、復路ビーム信号復調器（５５２）を更に備える、請求項１１５〜１２７のいずれか一項に記載の地上ネットワーク。
【請求項１２９】
前記復路ビームデータストリームの各々を、前記複数の前記ユーザ端末から伝送される前記復路アップリンク信号と関連付けられるそれぞれの復路ユーザデータストリーム（５３５）に逆多重化する、復路ビームデータ逆多重化装置（５５４）を更に備える、請求項１２８に記載の地上ネットワーク。
【請求項１３０】
前記複数の前記ユーザ端末からの前記復路アップリンク信号の各々が、複数の前記それぞれの復路ダウンリンク信号に含まれる、請求項１１５〜１２９のいずれか一項に記載の地上ネットワーク。
【請求項１３１】
前記複数の前記ユーザ端末の各々が、前記エンドツーエンドリレーの複数の前記複数の復路受信／伝送信号経路を介して、それぞれの復路アップリンク信号を伝送する、請求項１１５〜１３０のいずれか一項に記載の地上ネットワーク。
【請求項１３２】
前記複数のアクセスノードが、前記エンドツーエンドリレーのフィーダリンクアンテナのカバーエリアに対応するアクセスノードカバーエリア（３４５０）にわたって分布する、請求項１１５〜１３１のいずれか一項に記載の地上ネットワーク。
【請求項１３３】
前記複数の復路ユーザビームカバーエリアが、前記ユーザカバーエリアを備え、前記アクセスノードカバーエリアが、前記ユーザカバーエリアと少なくとも部分的に重なる、請求項１３２に記載の地上ネットワーク。
【請求項１３４】
前記複数のアクセスノードのうちの２つ以上が、前記複数の復路ユーザビームカバーエリアのうちの１つの中に位置付けられる、請求項１１５〜１３３のいずれか一項に記載の地上ネットワーク。
【請求項１３５】
前記複数の復路ユーザビームカバーエリアのうちの少なくとも１つが、いかなるアクセスノードも位置付けられないエリアを網羅する、請求項１１５〜１３４のいずれか一項に記載の地上ネットワーク。
【請求項１３６】
前記複数のアクセスノードが、第１の数の前記アクセスノード有し、前記エンドツーエンドリレーが、第２の数の前記復路受信／伝送信号経路を有し、前記第１の数が、前記第２の数と異なる、請求項１１５〜１３５のいずれか一項に記載の地上ネットワーク。
【請求項１３７】
前記第１の数が、前記第２の数よりも大きい、請求項１３６に記載の地上ネットワーク。
【請求項１３８】
前記複数の復路ユーザビームカバーエリアが、第３の数の前記復路ユーザビームカバーエリアを有し、前記第３の数が、前記第１の数と異なる、請求項１３６又は１３７に記載の地上ネットワーク。
【請求項１３９】
前記複数の前記ユーザ端末が、復路アップリンク周波数範囲で、前記復路アップリンク信号を伝送し、前記エンドツーエンドリレーが、復路ダウンリンク周波数範囲を使用して、前記復路受信／伝送信号経路を介して、前記復路アップリンク信号を前記複数のアクセスノードにリレーし、前記復路ダウンリンク周波数範囲が、前記復路アップリンク周波数範囲と異なる、請求項１１５〜１３８のいずれか一項に記載の地上ネットワーク。
【請求項１４０】
前記エンドツーエンドリレーが、衛星である、請求項１１５〜１３９のいずれか一項に記載の地上ネットワーク。
【請求項１４１】
前記それぞれの複合復路リンク信号が、異なる周波数サブ帯域を通じて受信される複数の変調信号を含む、請求項１１５〜１４０のいずれか一項に記載の地上ネットワーク。
【請求項１４２】
前記複数の復路ユーザビームカバーエリアが、前記異なる周波数サブ帯域と関連付けられる復路ユーザビームカバーエリアの複数のサブセットを含む、請求項１４１に記載の地上ネットワーク。
【請求項１４３】
前記復路ユーザビームカバーエリアの複数のサブセットの各々が、複数の重ならない復路ユーザビームカバーエリアを備える、請求項１４２に記載の地上ネットワーク。
【請求項１４４】
前記異なる周波数サブ帯域の各々の帯域幅が、５００メガヘルツ以上である、請求項１４１〜１４３のいずれか一項に記載の地上ネットワーク。
【請求項１４５】
前記復路ビーム加重マトリックスが、前記複数の復路ユーザビームカバーエリアの数及び前記複数のアクセスノードの数に対応する次元を有する、請求項１１５〜１４４のいずれか一項に記載の地上ネットワーク。
【請求項１４６】
前記復路ビーム加重マトリックスが、前記複数の復路ユーザビームカバーエリアの数及び前記複数の復路受信／伝送信号経路の数に対応する次元を有する復路アップリンク放射マトリックス、並びに前記複数の復路受信／伝送信号経路の前記数及び前記複数のアクセスノードの数に対応する次元を有する復路ダウンリンク放射マトリックスに基づいて決定される、請求項１１５〜１４５のいずれか一項に記載の地上ネットワーク。
【請求項１４７】
前記復路ビーム加重マトリックスが、前記複数の復路受信／伝送信号経路の数に対応する次元を有する前記エンドツーエンドリレーの復路ペイロードマトリックスに基づいて決定される、請求項１４６に記載の地上ネットワーク。
【請求項１４８】
前記復路ビーム加重マトリックスが、前記復路アップリンク放射マトリックス、前記復路ペイロードマトリックス、及び前記復路ダウンリンク放射マトリックスの積として決定される、請求項１４７に記載の地上ネットワーク。
【請求項１４９】
前記復路ペイロードマトリックスが、対角マトリックスを含む、請求項１４７に記載の地上ネットワーク。
【請求項１５０】
複数の往路受信／伝送信号経路（２００１）を備えるエンドツーエンドリレー（５０３、１２０２、１５０２、３４０３）を介して、複数の往路ユーザビームカバーエリア（５１９）にわたって分布するユーザ端末（５１７）に通信サービスを提供する方法であって、
前記複数の往路ユーザビームカバーエリアによってグループ化される複数の前記ユーザ端末に伝送するための往路ユーザデータストリーム（５０９）を含む、複数の往路ビーム信号（５１１）を取得することと、
前記エンドツーエンドリレーを介して、地理的に分布した場所の複数のアクセスノード（５１５）から前記複数の往路ユーザビームカバーエリアに伝送するエンドツーエンドビーム形成のための往路ビーム加重マトリックス（９１８）を識別することと、
前記複数のアクセスノードのためのそれぞれのアクセスノード固有の往路信号（５１６）を発生させることであって、前記それぞれのアクセスノード固有の往路信号の各々が、前記往路ビーム加重マトリックスのそれぞれの往路ビーム形成加重値によって加重されるそれぞれの往路ビーム信号の複合物を含む、発生させることと、
前記それぞれのアクセスノード固有の往路信号を、前記複数のアクセスノードと前記エンドツーエンドリレーとの間のそれぞれの経路遅延及び位相シフトを補償するためのそれぞれの往路同期情報を有する前記複数のアクセスノードに配信することであって、前記それぞれのアクセスノード固有の往路信号が、前記往路同期情報に少なくとも部分的に基づいて、それぞれの時間領域オフセットにおいて、前記複数のアクセスノードによって、前記複数の往路ユーザビームカバーエリアにリレーするための前記エンドツーエンドリレーに伝送される、配信することと、を含む、方法。
【請求項１５１】
前記配信が、
それぞれの多重化されたアクセスノード固有の往路信号を取得するために、前記それぞれの往路同期タイミング情報を有する前記それぞれのアクセスノード固有の往路信号を多重化することと、
前記複数のアクセスノードの各々に、前記それぞれの多重化されたアクセスノード固有の往路信号のうちの１つを送信することと、を含む、請求項１５０に記載の方法。
【請求項１５２】
前記多重化が、前記それぞれのアクセスノード固有の往路信号の各々を複数組のサンプルに分割することを含み、
前記送信が、前記多重化されたそれぞれの往路同期情報を有する前記複数組の前記それぞれのアクセスノード固有の往路信号のサンプルを、パケット交換接続を通じて、前記複数のアクセスノードに送信することを含む、請求項１５１に記載の方法。
【請求項１５３】
前記配信が、前記それぞれの時間領域オフセットによって、前記それぞれのアクセスノード固有の往路信号オフセットを前記複数のアクセスノードに送信することを含む、請求項１５０〜１５２のいずれか一項に記載の方法。
【請求項１５４】
前記取得が、
複数の往路ビームデータストリーム（５３２）を取得するために、前記複数の往路ユーザビームカバーエリアに従って、前記往路ユーザデータストリームをグループ化することであって、前記複数の往路ビームデータストリームの各々が、前記往路ユーザデータストリームのそれぞれのサブセットを含む、グループ化することと、
前記複数の往路ビーム信号を取得するために、１つ又は２つ以上の変調スキームに従って、前記複数の往路ビームデータストリームを変調することと、を含む、請求項１５０〜１５３のいずれか一項に記載の方法。
【請求項１５５】
前記取得が、前記複数の往路ビームデータストリームの前記各々について、前記往路ユーザデータストリームの前記それぞれのサブセットを多重化することを更に含む、請求項１５４に記載の方法。
【請求項１５６】
前記多重化が、時間領域多重化、周波数領域多重化、又はこれらの組み合わせを含む、請求項１５５に記載の方法。
【請求項１５７】
前記発生が、
前記往路ビーム信号をサンプルの時間領域サブセットに逆多重化することと、
複数の往路タイムスライスビーム形成器（３００６）で前記サンプルの時間領域サブセットを処理することであって、前記複数の往路タイムスライスビーム形成器の各々が、前記往路ビーム信号の各々のサンプルの時間領域サブセットを取得し、前記サンプルの時間領域サブセットのための、前記複数のアクセスノードの前記各々と関連付けられる前記それぞれのアクセスノード固有の往路信号を出力する、処理することと、
前記それぞれのアクセスノード固有の往路信号の各々に、前記複数の往路タイムスライスビーム形成器からの前記サンプルの時間領域サブセットを多重化することと、を含む、請求項１５０〜１５６のいずれか一項に記載の方法。
【請求項１５８】
前記サンプルの時間領域サブセットの各々が、複数のインターリーブされたサンプルを含む、請求項１５７に記載の方法。
【請求項１５９】
前記エンドツーエンドリレーが、衛星である、請求項１５０〜１５８のいずれか一項に記載の方法。
【請求項１６０】
前記往路ビーム加重マトリックスが、前記アクセスノードの数及び前記往路ユーザビームカバーエリアの数に対応する次元を有する、請求項１５０〜１５９のいずれか一項に記載の方法。
【請求項１６１】
前記往路ビーム加重マトリックスが、前記アクセスノードの数及び前記往路受信／伝送信号経路の数に対応する次元を有する往路アップリンク放射マトリックス、並びに前記往路受信／伝送信号経路の前記数及び前記往路ユーザビームカバーエリアの数に対応する次元を有する往路ダウンリンク放射マトリックスに基づいて決定される、請求項１５０〜１６０のいずれか一項に記載の方法。
【請求項１６２】
前記往路ビーム加重マトリックスが、前記往路受信／伝送信号経路の数に対応する次元を有する前記エンドツーエンドリレーの往路ペイロードマトリックスに基づいて決定される、請求項１６１に記載の方法。
【請求項１６３】
前記往路ビーム加重マトリックスが、前記往路アップリンク放射マトリックス、前記往路ペイロードマトリックス、及び前記往路ダウンリンク放射マトリックスの積として決定される、請求項１６２に記載の方法。
【請求項１６４】
前記往路ペイロードマトリックスが、対角マトリックスである、請求項１６２に記載の方法。
【請求項１６５】
前記アクセスノードの前記数が、前記往路受信／伝送信号経路の前記数よりも多い、請求項１５０〜１６１のいずれか一項に記載の方法。
【請求項１６６】
複数の往路受信／伝送信号経路（２００１）を備えるエンドツーエンドリレー（５０３、１２０２、１５０２、３４０３）を介して、複数の往路ユーザビームカバーエリア（５１９）にわたって分布するユーザ端末（５１７）に通信サービスを提供するための装置であって、
前記複数の往路ユーザビームカバーエリアによってグループ化される複数の前記ユーザ端末に伝送するための往路ユーザデータストリーム（５０９）を含む、複数の往路ビーム信号（５１１）を受信する、ビーム信号インターフェース（５２４）と、
前記エンドツーエンドリレーを介して、地理的に分布した場所の複数のアクセスノード（５１５）から前記複数の往路ユーザビームカバーエリアに伝送するエンドツーエンドビーム形成のための往路ビーム加重マトリックス（９１８）を発生させる、ビーム加重値発生器（９１０、９１７）と、
前記ビーム信号インターフェース及び前記ビーム加重値発生器に結合される往路ビーム形成器（５２９）であって、前記往路ビーム形成器が、前記往路ビーム加重マトリックス及び前記往路ビーム信号のベクトルのマトリックス積に基づいて、アクセスノード固有の往路信号（５１６）のベクトルを取得するマトリックス乗算器を備える、往路ビーム形成器と、
配信ネットワーク（５１８）を介して、前記それぞれのアクセスノード固有の往路信号を、前記複数のアクセスノードと前記エンドツーエンドリレーとの間のそれぞれの経路遅延及び位相シフトを補償するためのそれぞれの往路同期情報を有する前記複数のアクセスノードに送信する、配信インターフェース（５３６）であって、前記それぞれのアクセスノード固有の往路信号が、前記往路同期情報に少なくとも部分的に基づいて、それぞれの時間領域オフセットにおいて、前記複数のアクセスノードによって、前記複数の往路ユーザビームカバーエリアにリレーするための前記エンドツーエンドリレーに伝送される、配信インターフェースと、を備える、装置。
【請求項１６７】
前記配信インターフェースによって前記複数のアクセスノードに配信するためのそれぞれの多重化されたアクセスノード固有の往路信号を取得するために、前記それぞれの往路同期情報を前記それぞれのアクセスノード固有の往路信号と多重化する、多重化装置を更に備える、請求項１６６に記載の装置。
【請求項１６８】
前記多重化装置が、前記それぞれのアクセスノード固有の往路信号の各々を複数組のサンプルに分割し、
前記配信インターフェースが、前記多重化されたそれぞれの往路同期情報を有する前記それぞれのアクセスノード固有の往路信号を、パケット交換接続を通じて、前記複数のアクセスノードに送信する、請求項１６７に記載の装置。
【請求項１６９】
前記配信インターフェースが、前記それぞれの時間領域オフセットによって、前記それぞれのアクセスノード固有の往路信号オフセットを前記複数のアクセスノードに送信する、請求項１６６〜１６８のいずれか一項に記載の装置。
【請求項１７０】
複数の往路ビームデータストリーム（５３２）を取得するために、前記複数の往路ユーザビームカバーエリアに従って、前記往路ユーザデータストリームをグループ化する、往路ビームデータ多重化装置（５２６）であって、前記複数の往路ビームデータストリームの各々が、前記往路ユーザデータストリームのそれぞれのサブセットを含む、往路ビームデータ多重化装置と、
前記複数の往路ビーム信号を取得するために、１つ又は２つ以上の変調スキームに従って前記複数の往路ビームデータストリームを変調する、往路ビームデータストリーム変調器（５２８）と、を更に備える、請求項１６６〜１６９のいずれか一項に記載の装置。
【請求項１７１】
前記データ多重化装置が、前記複数の往路ビームデータストリームの前記各々について、前記往路ユーザデータストリームの前記それぞれのサブセットを多重化する、請求項１７０に記載の装置。
【請求項１７２】
前記多重化が、時間領域多重化、周波数領域多重化、又はこれらの組み合わせを含む、請求項１７１に記載の装置。
【請求項１７３】
前記往路ビーム形成器が、複数の往路タイムスライスビーム形成器（３００６）を備え、前記複数の往路タイムスライスビーム形成器の各々が、前記往路ビーム信号の各々のそれぞれのサンプルの時間領域サブセットを取得し、前記それぞれのサンプルの時間領域サブセットのための、前記複数のアクセスノードの前記各々と関連付けられる前記それぞれのアクセスノード固有の往路信号を出力する、請求項１６６〜１７２のいずれか一項に記載の装置。
【請求項１７４】
前記ビーム信号インターフェースが、前記それぞれのサンプルの時間領域サブセットに従って、前記往路ビーム信号を逆多重化し、前記複数の往路タイムスライスビーム形成器の前記各々に、前記往路ビーム信号の各々の前記それぞれのサンプルの時間領域サブセットを送信する、往路ビーム信号逆多重化装置（３００２）を備え、
前記配信インターフェースが、前記複数のアクセスノードの前記各々に送信するための、前記複数の往路タイムスライスビーム形成器から出力される、前記それぞれのアクセスノード固有の往路信号の前記それぞれのサンプルの時間領域サブセットを多重化する、往路アクセスノード信号多重化装置（３０１０）を備える、請求項１７３に記載の装置。
【請求項１７５】
前記往路ビーム信号のサンプルを前記往路ビーム信号の前記それぞれのサンプルの時間領域サブセットにインターリーブする、往路ビーム信号インターリーバを更に備える、請求項１７４に記載の装置。
【請求項１７６】
前記エンドツーエンドリレーが、衛星である、請求項１６６〜１７５のいずれか一項に記載の装置。
【請求項１７７】
前記往路ビーム加重マトリックスが、前記アクセスノードの数及び前記往路ユーザビームカバーエリアの数に対応する次元を有する、請求項１６６〜１７６のいずれか一項に記載の装置。
【請求項１７８】
前記往路ビーム加重マトリックスが、前記アクセスノードの数及び前記往路受信／伝送信号経路の数に対応する次元を有する往路アップリンク放射マトリックス、並びに前記往路受信／伝送信号経路の前記数及び前記往路ユーザビームカバーエリアの数に対応する次元を有する往路ダウンリンク放射マトリックスに基づいて決定される、請求項１６６〜１７７のいずれか一項に記載の装置。
【請求項１７９】
前記往路ビーム加重マトリックスが、前記往路受信／伝送信号経路の数に対応する次元を有する前記エンドツーエンドリレーの往路ペイロードマトリックスに基づいて決定される、請求項１７８に記載の装置。
【請求項１８０】
前記往路ビーム加重マトリックスが、前記往路アップリンク放射マトリックス、前記往路ペイロードマトリックス、及び前記往路ダウンリンク放射マトリックスの積として決定される、請求項１７９に記載の装置。
【請求項１８１】
前記往路ペイロードマトリックスが、対角マトリックスである、請求項１７９に記載の装置。
【請求項１８２】
前記アクセスノードの前記数が、前記往路受信／伝送信号経路の前記数よりも多い、請求項１７８〜１８１のいずれか一項に記載の装置。
【請求項１８３】
複数の復路受信／伝送信号経路（１７０２）を備えるエンドツーエンドリレー（５０３、１２０２、１５０２、３４０３）を介して、複数の復路ユーザビームカバーエリア（５１９）にわたって分布したユーザ端末（５１７）に通信サービスを提供する方法であって、
地理的に分布した場所において複数のアクセスノード（５１５）からそれぞれの複合復路信号（９０７）を取得することであって、前記それぞれの複合復路信号の各々が、複数の前記ユーザ端末から伝送され、前記エンドツーエンドリレーによってリレーされる、復路アップリンク信号（５２５）の複合物を含む、取得することと、
前記エンドツーエンドリレーを介して、前記複数の復路ユーザビームカバーエリアから前記複数のアクセスノードに伝送するエンドツーエンドビーム形成のための復路ビーム加重マトリックス（９３７）を識別することと、
前記復路ビーム加重マトリックス及び前記それぞれの複合復路信号のベクトルのマトリックス積に基づいて、前記複数の復路ユーザビームカバーエリアの復路ビーム信号（９１５）のベクトルを決定することであって、前記それぞれの複合復路信号が、前記エンドツーエンドリレーと前記複数のアクセスノードとの間のそれぞれの経路遅延及び位相シフトのタイミング及び位相について修正される、決定することと、を含む、方法。
【請求項１８４】
前記取得とは、前記複数のアクセスノードから、前記それぞれの複合復路信号及びそれぞれの復路同期情報を含むそれぞれの多重化された複合復路信号を受信することを含む、請求項１８３に記載の方法。
【請求項１８５】
前記それぞれの経路遅延及び位相シフトの前記修正が、前記それぞれの復路同期情報に基づいて、前記決定の前に、前記エンドツーエンドリレーからの同じ伝送タイミングに対応する前記それぞれの複合復路信号の一部分を整列させる、請求項１８４に記載の方法。
【請求項１８６】
前記それぞれの経路遅延及び位相シフトの前記修正が、前記それぞれの復路同期情報に少なくとも部分的に基づいて、ダウンリンクチャネル障害を補償するために、前記それぞれの複合復路信号のそれぞれの調整を決定することを含む、請求項１８４又は１８５に記載の方法。
【請求項１８７】
前記複合復路信号の各々が、サンプルの複数の時間領域サブセットを含む、請求項１８３〜１８６のいずれか一項に記載の方法。
【請求項１８８】
前記決定が、
複数の復路タイムスライスビーム形成器（３０１６）で前記複合復路信号の前記サンプルの時間領域サブセットを処理することであって、前記複数の復路タイムスライスビーム形成器の各々が、前記複合復路信号の各々のサンプルの時間領域サブセットを受信し、前記サンプルの時間領域サブセットのための、前記複数の復路ユーザビームカバーエリアの前記各々と関連付けられる前記復路ビーム信号の前記ベクトルを出力する、処理することと、
前記復路ビーム信号の各々に、前記複数の復路タイムスライスビーム形成器からの前記サンプルの時間領域サブセットを多重化することと、を含む、請求項１８７に記載の方法。
【請求項１８９】
前記サンプルの複数の時間領域サブセットの各々が、複数のインターリーブされたサンプルを含む、請求項１８７又は１８８に記載の方法。
【請求項１９０】
前記それぞれの経路遅延及び位相シフトを、並びに前記複数のアクセスノードと復路ビーム形成器との間のそれぞれの配信経路遅延及び位相シフトを修正するために、それぞれのタイミングオフセットによって、前記それぞれの複合復路信号オフセットをオフセットすることを更に含む、請求項１８３〜１８９のいずれか一項に記載の方法。
【請求項１９１】
前記複数の復路ユーザビームカバーエリアの前記各々と関連付けられる復路ビームデータストリーム（５３４）を取得するために、前記復路ビーム信号の各々を復調することを更に含む、請求項１８３〜１９０のいずれか一項に記載の方法。
【請求項１９２】
前記復路ビームデータストリームの各々を、前記複数の前記ユーザ端末から伝送される前記復路アップリンク信号と関連付けられるそれぞれの復路ユーザデータストリーム（５３５）に逆多重化することを更に含む、請求項１９１に記載の方法。
【請求項１９３】
前記逆多重化が、時間領域逆多重化、周波数領域逆多重化、又はこれらの組み合わせを含む、請求項１９２に記載の方法。
【請求項１９４】
前記複数のアクセスノードが、第１の数の前記アクセスノード有し、前記エンドツーエンドリレーが、第２の数の前記復路受信／伝送信号経路を有し、前記第１の数が、前記第２の数と異なる、請求項１８３〜１９３のいずれか一項に記載の方法。
【請求項１９５】
前記第１の数が、前記第２の数よりも大きい、請求項１９４に記載の方法。
【請求項１９６】
前記復路ビーム加重マトリックスが、前記復路ユーザビームカバーエリアの数及び前記アクセスノードの数に対応する次元を有する、請求項１８３〜１９５のいずれか一項に記載の方法。
【請求項１９７】
前記復路ビーム加重マトリックスが、前記復路ユーザビームカバーエリアの数及び前記復路受信／伝送信号経路の数に対応する次元を有する復路アップリンク放射マトリックス、並びに前記復路受信／伝送信号経路の前記数及び前記アクセスノードの数に対応する次元を有する復路ダウンリンク放射マトリックスに基づいて決定される、請求項１８３〜１９６のいずれか一項に記載の方法。
【請求項１９８】
前記復路ビーム加重マトリックスが、前記復路受信／伝送信号経路の数に対応する次元を有する前記エンドツーエンドリレーの復路ペイロードマトリックスに基づいて決定される、請求項１９７に記載の方法。
【請求項１９９】
前記復路ビーム加重マトリックスが、前記復路アップリンク放射マトリックス、前記復路ペイロードマトリックス、及び前記復路ダウンリンク放射マトリックスの積として決定される、請求項１９８に記載の方法。
【請求項２００】
前記復路ペイロードマトリックスが、対角マトリックスを含む、請求項１９８に記載の方法。
【請求項２０１】
複数の復路受信／伝送信号経路（１７０２）を備えるエンドツーエンドリレー（５０３、１２０２、１５０２、３４０３）を介して、複数の復路ユーザビームカバーエリア（５１９）にわたって分布するユーザ端末（５１７）に通信サービスを提供するための装置であって、
地理的に分布した場所において複数のアクセスノード（５１５）からそれぞれの複合復路信号（９０７）を受信する、配信インターフェース（５３６、９３１）であって、前記それぞれの複合復路信号の各々が、複数の前記ユーザ端末から伝送され、前記エンドツーエンドリレーによってリレーされる、復路アップリンク信号（５２５）の複合物を含む、配信インターフェースと、
前記エンドツーエンドリレーを介して、前記複数の復路ユーザビームカバーエリアから前記複数のアクセスノードに伝送するエンドツーエンドビーム形成のための復路ビーム加重マトリックス（９３７）を発生させる、ビーム加重値発生器（９１０、９３５）と、
前記配信インターフェース及び前記ビーム加重値発生器と結合される復路ビーム形成器（５３１）であって、前記ビーム形成器が、前記復路ビーム加重マトリックス及び前記それぞれの複合復路信号のベクトルのマトリックス積に基づいて、前記複数の復路ユーザビームカバーエリアの復路ビーム信号（９１５）のベクトルを取得するマトリックス乗算器を備え、前記それぞれの複合復路信号が、前記エンドツーエンドリレーと前記複数のアクセスノードとの間のそれぞれの経路遅延及び位相シフトのタイミング及び位相について修正される、復路ビーム形成器と、を備える、装置。
【請求項２０２】
前記配信インターフェースが、前記複数のアクセスノードから、前記それぞれの複合復路信号及びそれぞれの復路同期情報を含むそれぞれの多重化された複合復路信号を受信する、請求項２０１に記載の装置。
【請求項２０３】
前記それぞれの同期タイミング情報に基づいて、前記ビーム形成器に入力するための、前記エンドツーエンドリレーからの同じ伝送タイミングに対応する前記それぞれの複合復路信号の一部分を整列させる、タイミングモジュール（９４７）を更に備える、請求項２０２に記載の装置。
【請求項２０４】
前記それぞれの復路同期情報に少なくとも部分的に基づいて、ダウンリンクチャネル障害を補償するために、前記それぞれの複合復路信号のそれぞれの調整を決定する、複数の復調器（２５１１）を更に備える、請求項２０２又は２０３に記載の装置。
【請求項２０５】
前記複合復路信号の各々が、サンプルの複数の時間領域サブセットを含む、請求項２０１〜２０４のいずれか一項に記載の装置。
【請求項２０６】
複数の復路タイムスライスビーム形成器（３０１６）であって、前記複数の復路タイムスライスビーム形成器の各々が、前記複合復路信号の各々のサンプルの時間領域サブセットを受信し、前記サンプルの時間領域サブセットのための、前記複数の復路ユーザビームカバーエリアの前記各々と関連付けられる前記復路ビーム信号の前記ベクトルを出力する、複数の復路タイムスライスビーム形成器と、
前記復路ビーム信号各々に、前記複数の復路タイムスライスビーム形成器からの前記サンプルの時間領域サブセットを多重化する、復路ビーム信号多重化装置（３０２０）と、を更に備える、請求項２０５に記載の装置。
【請求項２０７】
前記サンプルの複数の時間領域サブセットの各々が、複数のインターリーブされたサンプルを含む、請求項２０５又は２０６に記載の装置。
【請求項２０８】
前記それぞれの経路遅延及び位相シフトを、並びに前記複数のアクセスノードと前記復路ビーム形成器との間のそれぞれの配信経路遅延及び位相シフトを修正するために、それぞれのタイミングオフセットによって、前記それぞれの複合復路信号をオフセットする、タイミングモジュール（９４７）を更に備える、請求項２０１〜２０７のいずれか一項に記載の装置。
【請求項２０９】
前記複数の復路ユーザビームカバーエリアの前記各々と関連付けられる復路ビームデータストリーム（５３４）を取得するために、前記復路ビーム信号の各々を復調する、復路ビーム信号復調器（５５２）を更に備える、請求項２０１〜２０８のいずれか一項に記載の装置。
【請求項２１０】
前記復路ビームデータストリームの各々を、前記複数の前記ユーザ端末から伝送される前記復路アップリンク信号と関連付けられるそれぞれの復路ユーザデータストリーム（５３５）に逆多重化する、復路ビーム逆多重化装置（５５４）を更に備える、請求項２０９に記載の装置。
【請求項２１１】
前記逆多重化が、時間領域逆多重化、周波数領域逆多重化、又はこれらの組み合わせを含む、請求項２１０に記載の装置。
【請求項２１２】
前記複数のアクセスノードが、第１の数の前記アクセスノード有し、前記エンドツーエンドリレーが、第２の数の前記復路受信／伝送信号経路を有し、前記第１の数が、前記第２の数と異なる、請求項２０１〜２１１のいずれか一項に記載の装置。
【請求項２１３】
前記第１の数が、前記第２の数よりも大きい、請求項２１２に記載の装置。
【請求項２１４】
前記復路ビーム加重マトリックスが、前記復路ユーザビームカバーエリアの数及び前記アクセスノードの数に対応する次元を有する、請求項２０１〜２１３のいずれか一項に記載の装置。
【請求項２１５】
前記復路ビーム加重マトリックスが、前記復路ユーザビームカバーエリアの数及び前記復路受信／伝送信号経路の数に対応する次元を有する復路アップリンク放射マトリックス、並びに前記復路受信／伝送信号経路の前記数及び前記アクセスノードの数に対応する次元を有する復路ダウンリンク放射マトリックスに基づいて決定される、請求項２０１〜２１４のいずれか一項に記載の装置。
【請求項２１６】
前記往路ビーム加重マトリックスが、前記往路受信／伝送信号経路の数に対応する次元を有する前記エンドツーエンドリレーの復路ペイロードマトリックスに基づいて決定される、請求項２１５に記載の装置。
【請求項２１７】
前記復路ビーム加重マトリックスが、前記復路アップリンク放射マトリックス、前記復路ペイロードマトリックス、及び前記復路ダウンリンク放射マトリックスの積として決定される、請求項２１６に記載の装置。
【請求項２１８】
前記復路ペイロードマトリックスが、対角マトリックスを含む、請求項２１６に記載の装置。
【請求項２１９】
複数の往路受信／伝送信号経路（２００１）を備えるエンドツーエンドリレー（５０３、１２０２、１５０２、３４０３）を介して、複数の往路ユーザビームカバーエリア（５１９）にわたって分布するユーザ端末（５１７）に通信サービスを提供する、地理的に分布した場所に複数のアクセスノードを備える通信システムのアクセスノード（５１５）において通信する方法であって、
前記エンドツーエンドリレーを介して、前記複数の往路ユーザビームカバーエリアによってグループ化される複数の前記ユーザ端末に伝送するための、アクセスノード固有の往路信号（５１６）を取得することであって、前記アクセスノード固有の往路信号が、複数の前記複数の往路ユーザビームカバーエリアに対応する往路ビーム信号（５１１）の複合物を含み、前記往路ビーム信号が、前記アクセスノードと関連付けられるビーム加重ベクトルのそれぞれのビーム加重値によって加重される、取得することと、
前記アクセスノード固有の往路信号の伝送タイミングを示す往路信号伝送タイミング情報（４０１６）を識別することと、
前記アクセスノード固有の往路信号及びアクセスノードビーコン信号（２５３０）を含む往路アップリンク信号（５２１）を前記エンドツーエンドリレーに伝送することであって、前記アクセスノード固有の往路信号が、前記アクセスノードビーコン信号の対応する伝送タイミング情報に同期される、前記往路信号伝送タイミング情報を有する、伝送することと、
リレービーコン信号及び前記エンドツーエンドリレーからリレーされる前記アクセスノードビーコン信号を含む前記エンドツーエンドリレーから、信号送信（５２７）受信することと、
前記リレーされたアクセスノードビーコン信号を前記受信したリレービーコン信号と時間及び位相整列させるために、前記往路アップリンク信号を調整することと、を含む、方法。
【請求項２２０】
受信タイミング情報（４０２６、２５２５）及び受信位相情報（４０２６、２５４２）を取得するために、前記リレービーコン信号を復調することを更に含む、請求項２１９に記載の方法。
【請求項２２１】
リレーされた伝送タイミング情報（４０２８、２５２１）及びリレーされた伝送位相情報（４０２８、２５２１）を取得するために、前記リレーされたアクセスノードビーコン信号を復調することを更に含む、請求項２２０に記載の方法。
【請求項２２２】
前記調整が、前記受信タイミング情報を前記リレーされた伝送タイミング情報と比較することに基づいて、前記往路アップリンク信号のタイミングを調整することを含む、請求項２２１に記載の方法。
【請求項２２３】
前記調整が、前記受信位相情報を前記リレーされた伝送位相情報と比較することに基づいて、前記往路アップリンク信号の位相を調整することを含む、請求項２２１又は２２２に記載の方法。
【請求項２２４】
前記識別が、前記アクセスノードにおいて受信される多重化されたアクセスノード固有の往路信号から、前記往路信号伝送タイミング情報を逆多重化することを含む、請求項２１９〜２２３のいずれか一項に記載の方法。
【請求項２２５】
前記アクセスノード固有の往路信号が、サンプルの複数の時間領域サブセットを含む、請求項２１９〜２２４のいずれか一項に記載の方法。
【請求項２２６】
前記サンプルの複数の時間領域サブセットの各々が、前記アクセスノード固有の往路信号の複数のインターリーブされたサンプルを含み、前記方法が、前記アクセスノード固有の往路信号の前記インターリーブされたサンプルをデインターリーブすることを更に含む、請求項２２５に記載の方法。
【請求項２２７】
前記リレービーコン信号が、擬似雑音（ＰＮ）コード（２３０７）を含む、請求項２１９〜２２６のいずれか一項に記載の方法。
【請求項２２８】
前記リレービーコン信号が、リレーフレームタイミング情報を含む、請求項２１９〜２２７のいずれか一項に記載の方法。
【請求項２２９】
前記アクセスノードビーコン信号が、前記アクセスノードと関連付けられる擬似雑音（ＰＮ）コード（２３０１）を含む、請求項２１９〜２２８のいずれか一項に記載の方法。
【請求項２３０】
前記アクセスノードビーコン信号が、伝送フレームタイミング情報を含む、請求項２２９に記載の方法。
【請求項２３１】
前記往路アップリンク信号の前記調整が、前記伝送フレームタイミング情報のタイミングを調整することを含む、請求項２３０に記載の方法。
【請求項２３２】
前記往路アップリンク信号の前記調整が、前記ＰＮ符号に対して、前記伝送フレームタイミング情報のその後の部分をシフトすることを含む、請求項２３０に記載の方法。
【請求項２３３】
前記往路アップリンク信号の前記調整が、前記ＰＮ符号のチップタイミングを調整することを含む、請求項２２９〜２３２のいずれか一項に記載の方法。
【請求項２３４】
前記リレービーコン信号が、複数のサブ帯域に複数の信号を含む、請求項２１９〜２３３のいずれか一項に記載の方法。
【請求項２３５】
前記往路アップリンク信号が、円偏波信号で伝送され、前記リレービーコン信号が、直線偏波信号で受信される、請求項２１９〜２３４のいずれか一項に記載の方法。
【請求項２３６】
前記アクセスノード固有の往路信号が、前記複数の往路ユーザビームカバーエリアの異なるサブセットと関連付けられる複数のサブ信号を含み、
前記往路アップリンク信号の前記伝送が、前記複数のサブ信号を異なる搬送周波数に上方変換することを含む、請求項２１９〜２３５のいずれか一項に記載の方法。
【請求項２３７】
前記アクセスノードビーコン信号が、前記アクセスノード固有の往路信号と時間的に重ならない較正間隔中に、前記エンドツーエンドリレーに伝送される、請求項２１９〜２３６のいずれか一項に記載の方法。
【請求項２３８】
前記アクセスノードビーコン信号が、前記アクセスノード固有の往路信号よりも高い電力スペクトル密度で、前記エンドツーエンドリレーに伝送される、請求項２１９〜２３７のいずれか一項に記載の方法。
【請求項２３９】
前記複数のアクセスノードが、第１の数の前記アクセスノード有し、前記エンドツーエンドリレーが、第２の数の前記往路受信／伝送信号経路を有し、前記第１の数が、前記第２の数と異なる、請求項２１９〜２３８のいずれか一項に記載の方法。
【請求項２４０】
前記第１の数が、前記第２の数よりも大きい、請求項２３９に記載の方法。
【請求項２４１】
前記エンドツーエンドリレーが、衛星である、請求項２１９〜２４０のいずれか一項に記載の方法。
【請求項２４２】
前記往路アップリンク信号が、異なる周波数サブ帯域を通じて伝送される複数の信号を含む、請求項２１９〜２４１のいずれか一項に記載の方法。
【請求項２４３】
前記複数の往路ユーザビームカバーエリアが、前記異なる周波数サブ帯域と関連付けられる往路ユーザビームカバーエリアの複数のサブセットを含む、請求項２４２に記載の方法。
【請求項２４４】
前記往路ユーザビームカバーエリアの複数のサブセットの各々が、複数の重ならない往路ユーザビームカーエリアを備える、請求項２４３に記載の方法。
【請求項２４５】
前記異なる周波数サブ帯域の各々の帯域幅が、５００メガヘルツ以上である、請求項２４２又は２４３に記載の方法。
【請求項２４６】
複数の往路受信／伝送信号経路（２００１）を備えるエンドツーエンドリレー（５０３、１２０２、１５０２、３４０３）を介して、複数の往路ユーザビームカバーエリア（５１９）にわたって分布するユーザ端末（５１７）に通信サービスを提供する、地理的に分布した場所に複数のアクセスノードを備える通信システムにおいて通信するためのアクセスノード（５１５）であって、
前記エンドツーエンドリレーを介して、前記複数の往路ユーザビームカバーエリアによってグループ化される複数の前記ユーザ端末に伝送するための、アクセスノード固有の往路信号（５１６）を取得する、ネットワークインターフェース（２４１５、４００６）であって、前記アクセスノード固有の往路信号が、複数の前記複数の往路ユーザビームカバーエリアに対応する往路ビーム信号（５１１）の複合物を含み、前記往路ビーム信号が、前記アクセスノードと関連付けられるビーム加重ベクトルのそれぞれのビーム加重値によって加重される、ネットワークインターフェースと、
前記アクセスノード固有の往路信号の往路信号伝送タイミング及び位相情報（４０１６）を取得する、逆多重化装置（４０６０）と、
アクセスノードビーコン信号（２５３０）及び前記アクセスノード固有の往路信号を含む往路アップリンク信号（５２１）を前記エンドツーエンドリレーに伝送する、伝送機（４０１２）と、
前記エンドツーエンドリレーからダウンリンク信号（５２７）を受信する、受信機（４００２）であって、前記ダウンリンク信号が、リレービーコン信号及び前記エンドツーエンドリレーからリレーされる前記リレーされたアクセスノードビーコン信号を含む、受信機と、
前記リレーされたアクセスノードビーコン信号のリレーされた伝送タイミング及び位相情報を、前記受信したリレービーコン信号の受信したリレータイミング及び位相情報と整列させるために、タイミング及び位相調整（２５２４）を決定する、コントローラ（２５２３）と、
前記タイミング及び位相調整に基づいて、前記往路アップリンク信号を前記伝送機に出力する、伝送タイミング及び位相補償器（４０２０）であって、前記往路信号伝送タイミング及び位相情報が、対応する前記アクセスノードビーコン信号の伝送タイミング及び位相情報に同期されるように、前記アクセスノード固有の往路信号を前記アクセスノードビーコン信号と多重化する、伝送タイミング及び位相補償器と、を備える、アクセスノード。
【請求項２４７】
受信タイミング及び位相情報（４０２８）を取得するために、リレービーコン信号を復調する、リレービーコン信号復調器（２５１１）を更に備える、請求項２４６に記載のアクセスノード。
【請求項２４８】
リレーされた伝送タイミング及び位相情報（４０２６）を取得するために、前記リレーされたアクセスノードビーコン信号を復調する、アクセスビーコン信号復調器（２５１９）を更に備える、請求項２４７に記載のアクセスノード。
【請求項２４９】
前記コントローラが、前記受信タイミング及び位相情報と前記リレーされた伝送タイミング及び位相情報との比較に基づいて、前記タイミング及び位相調整を決定する、請求項２４８に記載のアクセスノード。
【請求項２５０】
前記逆多重化装置が、多重化されたアクセスノード固有の往路からの前記往路信号伝送タイミング情報を逆多重化する、請求項２４６〜２４９のいずれか一項に記載のアクセスノード。
【請求項２５１】
前記アクセスノード固有の往路信号が、サンプルの複数の時間領域サブセットを含む、請求項２４６〜２５０のいずれか一項に記載のアクセスノード。
【請求項２５２】
前記サンプルの複数の時間領域サブセットの各々が、前記アクセスノード固有の往路信号の複数のインターリーブされたサンプルを含み、前記アクセスノードが、前記アクセスノード固有の往路信号の前記インターリーブされたサンプルをデインターリーブする、デインターリーバ（４０５０）を更に備える、請求項２５１に記載のアクセスノード。
【請求項２５３】
前記リレービーコン信号が、擬似雑音（ＰＮ）コード（２３０７）を含む、請求項２４６〜２５２のいずれか一項に記載のアクセスノード。
【請求項２５４】
前記リレービーコン信号が、リレーフレームタイミング情報を含む、請求項２４６〜２５３のいずれか一項に記載のアクセスノード。
【請求項２５５】
前記アクセスノードビーコン信号が、前記アクセスノードと関連付けられる擬似雑音（ＰＮ）コード（２３０１）を含む、請求項２４６〜２５４のいずれか一項に記載のアクセスノード。
【請求項２５６】
前記アクセスノードビーコン信号が、伝送フレームタイミング情報を含む、請求項２５５に記載のアクセスノード。
【請求項２５７】
前記ビーコンタイミング調整に基づいて、前記アクセスビーコンタイミング発生器が、前記伝送フレームタイミング情報のタイミングを調整する、請求項２５６に記載のアクセスノード。
【請求項２５８】
前記ビーコンタイミング調整に基づいて、前記アクセスビーコンタイミング発生器が、前記ＰＮ符号に対して、前記伝送フレームタイミング情報のその後の部分をシフトする、請求項２５６に記載のアクセスノード。
【請求項２５９】
前記ビーコンタイミング調整に基づいて、前記アクセスビーコンタイミング発生器が、前記ＰＮ符号のチップタイミングを調整する、請求項２５５〜２５８のいずれか一項に記載のアクセスノード。
【請求項２６０】
前記リレービーコン信号が、複数のサブ帯域に複数の信号を含む、請求項２４６〜２５９のいずれか一項に記載のアクセスノード。
【請求項２６１】
前記往路アップリンク信号が、円偏波信号で伝送され、前記リレービーコン信号が、直線偏波信号で受信される、請求項２４６〜２６０のいずれか一項に記載のアクセスノード。
【請求項２６２】
前記アクセスノード固有の往路信号が、前記複数の往路ユーザビームカバーエリアの異なるサブセットと関連付けられる複数のサブ信号を含み、
前記往路アップリンク信号の前記伝送が、前記複数のサブ信号を異なる搬送周波数に上方変換することを含む、請求項２４６〜２６１のいずれか一項に記載のアクセスノード。
【請求項２６３】
前記アクセスノードビーコン信号が、前記アクセスノード固有の往路信号と時間的に重ならない較正間隔中に、前記エンドツーエンドリレーに伝送される、請求項２４６〜２６２のいずれか一項に記載のアクセスノード。
【請求項２６４】
前記アクセスノードビーコン信号が、前記アクセスノード固有の往路信号よりも高い電力スペクトル密度で、前記エンドツーエンドリレーに伝送される、請求項２４６〜２６３のいずれか一項に記載のアクセスノード。
【請求項２６５】
前記複数のアクセスノードが、第１の数の前記アクセスノード有し、前記エンドツーエンドリレーが、第２の数の前記往路受信／伝送信号経路を有し、前記第１の数が、前記第２の数と異なる、請求項２４６〜２６４のいずれか一項に記載の方法。
【請求項２６６】
前記第１の数が、前記第２の数よりも大きい、請求項２６５に記載のアクセスノード。
【請求項２６７】
前記エンドツーエンドリレーが、衛星である、請求項２４６〜２６６のいずれか一項に記載のアクセスノード。
【請求項２６８】
前記往路アップリンク信号が、異なる周波数サブ帯域を通じて伝送される複数の信号を含む、請求項２４６〜２６７のいずれか一項に記載のアクセスノード。
【請求項２６９】
前記複数の往路ユーザビームカバーエリアが、前記異なる周波数サブ帯域と関連付けられる往路ユーザビームカバーエリアの複数のサブセットを含む、請求項２６８に記載のアクセスノード。
【請求項２７０】
前記往路ユーザビームカバーエリアの複数のサブセットの各々が、複数の重ならない往路ユーザビームカバーエリアを備える、請求項２６９に記載のアクセスノード。
【請求項２７１】
前記異なる周波数サブ帯域の各々の帯域幅が、５００メガヘルツ以上である、請求項２６８〜２７０のいずれか一項に記載のアクセスノード。
【請求項２７２】
複数の復路受信／伝送信号経路（１７０２）を備えるエンドツーエンドリレー（５０３、１２０２、１５０２、３４０３）を介して、複数の復路ユーザビームカバーエリア（５１９）にわたって分布するユーザ端末（５１７）に通信サービスを提供する、地理的に分布した場所に複数のアクセスノードを備える通信システムのアクセスノード（５１５）において通信する方法であって、
前記エンドツーエンドリレーから複合復路信号（９０７）及びリレービーコン信号を含む復路ダウンリンク信号（５２７）を受信することであって、前記複合復路信号が、前記エンドツーエンドリレーによってリレーされる複数の前記ユーザ端末からの復路アップリンク信号（５２５）を含む、受信することと、
受信タイミング情報（２５２０）を取得するために、前記リレービーコン信号を復調することと、
多重化された複合復路信号を取得するために、前記複合復路信号を前記受信タイミング情報と多重化することと、
前記多重化された複合復路信号を復路ビーム形成器（５３１）に送信することと、を含む、方法。
【請求項２７３】
前記復調が、前記リレービーコン信号と局部的な基準信号との比較に少なくとも部分的に基づいて、ダウンリンクチャネル障害を補償するために、受信タイミング調整（２５１２、２５１３）及び受信位相調整（２５１２、２５１４）を決定することを含む、請求項２７２に記載の方法。
【請求項２７４】
前記受信タイミング調整に基づいて、前記複合復路信号のタイミングを調整することを更に含む、請求項２７３に記載の方法。
【請求項２７５】
前記受信位相調整に基づいて、前記複合復路信号の位相を調整することを更に含む、請求項２７３又は２７４に記載の方法。
【請求項２７６】
前記多重化された複合復路信号が、サンプルの複数の時間領域サブセットを含む、請求項２７２〜２７５のいずれか一項に記載の方法。
【請求項２７７】
前記多重化された複合復路信号のサンプルを前記サンプルの複数の時間領域サブセットにインターリーブすることを更に含む、請求項２７６に記載の方法。
【請求項２７８】
前記リレービーコン信号が、擬似雑音（ＰＮ）コード（２３０７）を含む、請求項２７２〜２７７のいずれか一項に記載の方法。
【請求項２７９】
前記リレービーコン信号が、フレームタイミング情報を含む、請求項２７２〜２７８のいずれか一項に記載の方法。
【請求項２８０】
前記リレービーコン信号が、複数のサブ帯域に複数の信号を含む、請求項２７２〜２７９のいずれか一項に記載の方法。
【請求項２８１】
前記複合復路信号が、円偏波信号を含み、前記リレービーコン信号が、直線偏波信号を含む、請求項２７２〜２８０のいずれか一項に記載の方法。
【請求項２８２】
前記通信システムが、第１の数の前記アクセスノード有し、前記エンドツーエンドリレーが、第２の数の前記復路受信／伝送信号経路を有し、前記第１の数が、前記第２の数と異なる、請求項２７２〜２８１のいずれか一項に記載の方法。
【請求項２８３】
前記第１の数が、前記第２の数よりも大きい、請求項２８２に記載の方法。
【請求項２８４】
前記エンドツーエンドリレーが、衛星である、請求項２７２〜２８３のいずれか一項に記載の方法。
【請求項２８５】
前記複合復路信号が、異なる周波数サブ帯域に複数の信号を含む、請求項２７２〜２８４のいずれか一項に記載の方法。
【請求項２８６】
前記複数の復路ユーザビームカバーエリアが、前記異なる周波数サブ帯域と関連付けられる復路ユーザビームカバーエリアの複数のサブセットを含む、請求項２８５に記載の方法。
【請求項２８７】
前記復路ユーザビームカバーエリアの複数のサブセットの各々が、複数の重ならない復路ユーザビームカバーエリアを備える、請求項２８６に記載の方法。
【請求項２８８】
前記異なる周波数サブ帯域の各々の帯域幅が、５００メガヘルツ以上である、請求項２８５〜２８７のいずれか一項に記載の方法。
【請求項２８９】
複数の復路受信／伝送信号経路（１７０２）を備えるエンドツーエンドリレー（５０３、１２０２、１５０２、３４０３）を介して、複数の復路ユーザビームカバーエリア（５１９）にわたって分布するユーザ端末（５１７）に通信サービスを提供する、地理的に分布した場所に複数のアクセスノードを備える通信システムにおいて通信するための、アクセスノード（５１５）であって、
前記エンドツーエンドリレーから復路ダウンリンク信号（５２７）を受信する、受信機（４００２）であって、前記復路信号ダウンリンク信号が、複合復路信号（９０７）を形成するために、前記エンドツーエンドリレーによってリレーされる複数の前記ユーザ端末からのリレービーコン信号及び復路アップリンク信号（５２５）を含む、受信機と、
リレータイミング情報（２５２０）を取得するために、前記リレービーコン信号を復調する、リレービーコン信号復調器（２５１１）と、
多重化された複合復路信号を取得するために、前記複合復路信号を前記リレータイミング情報と多重化する、多重化装置（２５１８、４００４）と、
前記多重化された複合復路信号を復路ビーム形成器（５３１）に送信する、信号インターフェース（２４１５、４００６）と、を備える、アクセスノード。
【請求項２９０】
前記リレービーコン信号復調器が、受信タイミング調整（２５１２、２５１３）及び受信位相調整（２５１２、２５１４）を取得して、ダウンリンクチャネル障害を補償するために、前記リレービーコン信号を局部的な基準信号と比較する、請求項２８９に記載のアクセスノード。
【請求項２９１】
前記受信タイミング調整に基づいて、前記複合復路信号のタイミングを調整する、タイミング調整器（４０２４、２５１５）を更に備える、請求項２９０に記載のアクセスノード。
【請求項２９２】
前記受信位相調整に基づいて、複合復路信号の位相を調整する、位相調整器（４０２４、２５１７）を更に備える、請求項２９０又は２９１に記載のアクセスノード。
【請求項２９３】
前記多重化された複合復路信号が、サンプルの複数の時間領域サブセットを含む、請求項２８９〜２９２のいずれか一項に記載のアクセスノード。
【請求項２９４】
前記多重化された複合復路信号のサンプルを前記サンプルの複数の時間領域サブセットにインターリーブする、インターリーバ（４０４４）を更に備える、請求項２９３に記載のアクセスノード。
【請求項２９５】
前記リレービーコン信号が、擬似雑音（ＰＮ）コード（２３０７）を含む、請求項２８９〜２９４のいずれか一項に記載のアクセスノード。
【請求項２９６】
前記リレービーコン信号が、フレームタイミング情報を含む、請求項２８９〜２９５のいずれか一項に記載のアクセスノード。
【請求項２９７】
前記リレービーコン信号が、複数のサブ帯域に複数の信号を含む、請求項２８９〜２９６のいずれか一項に記載のアクセスノード。
【請求項２９８】
前記複合復路信号が、円偏波信号を含み、前記リレービーコン信号が、直線偏波信号を含む、請求項２８９〜２９７のいずれか一項に記載のアクセスノード。
【請求項２９９】
前記通信システムが、第１の数の前記アクセスノード有し、前記エンドツーエンドリレーが、第２の数の前記復路受信／伝送信号経路を有し、前記第１の数が、前記第２の数と異なる、請求項２８９〜２９８のいずれか一項に記載のアクセスノード。
【請求項３００】
前記第１の数が、前記第２の数よりも大きい、請求項２９９に記載のアクセスノード。
【請求項３０１】
前記エンドツーエンドリレーが、衛星である、請求項２８９〜３００のいずれか一項に記載のアクセスノード。
【請求項３０２】
前記複合復路信号が、異なる周波数サブ帯域に複数の信号を含む、請求項２８９〜３０１のいずれか一項に記載のアクセスノード。
【請求項３０３】
前記複数の復路ユーザビームカバーエリアが、前記異なる周波数サブ帯域と関連付けられる復路ユーザビームカバーエリアの複数のサブセットを含む、請求項３０２に記載のアクセスノード。
【請求項３０４】
前記復路ユーザビームカバーエリアの複数のサブセットの各々が、複数の重ならない復路ユーザビームカバーエリアを備える、請求項３０３に記載のアクセスノード。
【請求項３０５】
前記異なる周波数サブ帯域の各々の帯域幅が、５００メガヘルツ以上である、請求項３０２〜３０４のいずれか一項に記載のアクセスノード。